(57)【要約】【課題】各種イベントに応じた操作を実行する際のユーザの利便性を向上させること。【解決手段】１つの態様において、電子機器（例えば、スマートフォン１）は、マイクと、ユーザに対する通知が行われるイベントの発生を検知した際に、前記マイクによる音声の入力を有効な状態に制御するコントローラとを有する。例えば、スマートフォン１は、不在着信があった場合、マイク８によるユーザの音声入力を有効な状態にする。スマートフォン１は、マイク８によりユーザの音声が入力されると、入力される音声の認識処理を実行し、認識処理の結果に応じた処理を実行する。【選択図】図１
2014045449.tif 000002
【特許請求の範囲】
【請求項１】
マイクと、
ユーザに対する通知が行われるイベントの発生を検知した際に、前記マイクによる音声の入力を有効な状態に制御するコントローラと
を有する電子機器。
【請求項２】
前記コントローラは、前記マイクへの音声の入力がない状態が一定時間継続した場合には、前記マイクによる音声の入力を有効な状態から無効な状態に戻す請求項１に記載の電子機器。
【請求項３】
前記コントローラは、セキュリティロック状態で、前記イベントの発生を検知した場合には、前記マイクによる音声の入力を無効な状態を維持する請求項１又は２に記載の電子機器。
【請求項４】
前記コントローラは、前記マイクにより入力される音声の認識処理を実行し、認処理の結果に応じた処理を実行する請求項１〜３のいずれか一つに記載の電子機器。
【請求項５】
前記コントローラは、音声の認識結果に応じて実行する処理の内容をユーザに通知する請求項４に記載の電子機器。
【請求項６】
マイクを有する電子機器を制御する制御方法であって、
ユーザに対する通知が行われるイベントの発生を検知するステップと、
前記イベントの発生を検知した際に、前記マイクによる音声の入力を有効な状態に制御するステップと
を含む制御方法。
【請求項７】
マイクを有する電子機器に、
ユーザに対する通知が行われるイベントの発生を検知するステップと、
前記イベントの発生を検知した際に、前記マイクによる音声の入力を有効な状態に制御するステップと
を実行させる制御プログラム。
【発明の詳細な説明】
【技術分野】
【０００１】
本出願は、電子機器、制御方法、及び制御プログラムに関する。
【背景技術】
【０００２】
携帯電話やスマートフォンなどの電子機器には、着信やメール受信などのイベントをユーザに通知する機能を有するものが存在する。例えば、特許文献１には、不在着信があった場合に、ＬＥＤを周期的に点滅させる携帯電話が開示されている。
【先行技術文献】
【特許文献】
【０００３】
【特許文献１】特開２０１１−２５０１５２号公報
【発明の概要】
【発明が解決しようとする課題】
【０００４】
ところで、例えば、不在着信やメール受信など、携帯電話やスマートフォンで発生したイベントに関する操作を行う場合、ユーザは、ボタンに対する操作やタッチジェスチャによる操作などの手動の操作を行うのが一般的である。
【０００５】
上記のことから、各種イベントに応じた操作を実行する際のユーザの利便性を向上させることができる電子機器、制御方法、及び制御プログラムに対する必要性がある。
【課題を解決するための手段】
【０００６】
１つの態様に係る電子機器は、マイクと、ユーザに対する通知が行われるイベントの発生を検知した際に、前記マイクによる音声の入力を有効な状態に制御するコントローラとを有する。
【０００７】
１つの態様に係る制御方法は、マイクを有する電子機器を制御する制御方法であって、ユーザに対する通知が行われるイベントの発生を検知するステップと、前記イベントの発生を検知した際に、前記マイクによる音声の入力を有効な状態に制御するステップとを含む。
【０００８】
１つの態様に係る制御プログラムは、マイクを有する電子機器に、ユーザに対する通知が行われるイベントの発生を検知するステップと、前記イベントの発生を検知した際に、前記マイクによる音声の入力を有効な状態に制御するステップとを実行させる。
【図面の簡単な説明】
【０００９】
【図１】図１は、実施形態１に係るスマートフォンのブロック図である。
【図２】図２は、電話の不在着信があった際にスマートフォンにより実行される制御の一例を示す図である。
【図３】図３は、メールの受信があった際にスマートフォンにより実行される制御の一例を示す図である。
【図４】図４は、アラームの鳴動があった際にスマートフォンにより実行される制御の一例を示す図である。
【図５】図５は、実施形態１に係る制御プログラムが提供する機能に基づく制御を実現するための処理手順の一例を示す図である。
【図６】図６は、実施形態２に係る制御プログラムが提供する機能に基づく制御を実現するための処理手順の一例を示す図である。
【図７】図７は、メールの受信直後に不在着信があった際にスマートフォンにより実行される制御の一例を示す図である。
【発明を実施するための形態】
【００１０】
本出願に係る電子機器、制御方法、及び制御プログラムを実施するための実施形態を、図面を参照しつつ詳細に説明する。以下では、電子機器の一例として、スマートフォンを取り上げて説明する。
【００１１】
（実施形態１）
図１を参照しながら、実施形態１に係るスマートフォン１の機能的な構成について説明する。図１は、実施形態１に係るスマートフォンのブロック図である。図１に示すように、スマートフォン１は、ディスプレイ２と、ボタン３と、照度センサ４と、近接センサ５と、通信ユニット６と、レシーバ７と、マイク８と、ストレージ９と、コントローラ１０と、スピーカ１１と、カメラ１２と、姿勢検出ユニット１５と、バイブレータ１８と、タッチスクリーン２１とを備える。
【００１２】
ディスプレイ２は、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２は、文字、画像、記号、及び図形等を表示する。
【００１３】
ボタン３は、利用者からの操作入力を受け付ける。ボタン３の数は、単数であっても、複数であってもよい。
【００１４】
照度センサ４は、スマートフォン１の周囲光の照度を検出する。照度は、光の強さ、明るさ、又は輝度を示す。照度センサ４は、例えば、ディスプレイ２の輝度の調整に用いられる。
【００１５】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２が顔に近づけられたことを検出する。照度センサ４及び近接センサ５は、一つのセンサとして構成されていてもよい。照度センサ４は、近接センサとして用いられてもよい。
【００１６】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）がある。通信ユニット６は、上述した通信規格の１つ又は複数をサポートしていてもよい。
【００１７】
通信ユニット６は、ＧＰＳ衛星からの所定の周波数帯の電波信号を受信し、受信した電波信号の復調処理を行って、処理後の信号をコントローラ１０に送出する。スマートフォン１は、ＧＰＳ衛星との通信機能を通信ユニット６から分散させて、通信ユニット６から独立した個別の通信部を設けてもよい。
【００１８】
レシーバ７は、音出力部である。レシーバ７は、コントローラ１０から送信される音信号を音として出力する。レシーバ７は、例えば、通話時に相手の声を出力するために用いられる。マイク８は、音入力部である。マイク８は、利用者の音声等を音信号へ変換してコントローラ１０へ送信する。
【００１９】
ストレージ９は、プログラム及びデータを記憶する。ストレージ９は、コントローラ１０の処理結果を一時的に記憶する作業領域としても利用される。ストレージ９は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を少なくとも１つ含むが、これらに限定されない。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２０】
ストレージ９に記憶されるプログラムには、フォアグランド又はバックグランドで実行されるアプリケーションと、アプリケーションの動作を支援する制御プログラムとが含まれる。フォアグランドで実行されるアプリケーションは、例えば、ディスプレイ２に画面が表示される。制御プログラムには、例えば、ＯＳが含まれる。アプリケーション及び制御プログラムは、通信ユニット６による無線通信又は非一過的な記憶媒体を介してストレージ９にインストールされてもよい。
【００２１】
ストレージ９は、例えば、制御プログラム９Ａ、通話アプリケーション９Ｂ、メールアプリケーション９Ｃ、スケジュールアプリケーション９Ｄ、天気アプリケーション９Ｅ、音声読み上げアプリケーション９Ｆ、及び設定データ９Ｚなどを記憶する。
【００２２】
制御プログラム９Ａは、スマートフォン１を稼働させるための各種制御に関する機能を提供する。制御プログラム９Ａは、例えば、アラームを鳴動させる時刻に到達した場合に、スピーカ１１からアラーム音を出力させる機能を提供する。制御プログラム９Ａは、例えば、アラームが鳴動中であることを示す画面をディスプレイ２に表示させる機能を提供する。制御プログラム９Ａは、例えば、電池残量をモニタし、電池残量が所定値に到達した際にユーザに通知する機能を提供する。制御プログラム９Ａは、充電の開始および終了をユーザに通知する機能を提供する。制御プログラム９Ａは、無線ＬＡＮのアクセスポイントを検知した旨をユーザに通知する機能を提供する。制御プログラム９Ａは、ＧＰＳ衛星からの電波信号に基づいて、エリア検知を行う機能を提供する。
【００２３】
さらに、制御プログラム９Ａには、ユーザに対する通知が行われるイベントの発生を検知した際に、音入力部であるマイク８によるユーザの音声入力を有効な状態に制御する処理をコントローラ１０に実行させるための機能が含まれる。ユーザに対する通知が行われるイベントには、例えば、電話の不在着信、メールの受信、アラームの鳴動、電池残量の所定値への到達、充電の開始または終了、無線ＬＡＮのアクセスポイントの検知、エリア検知が含まれてよい。
【００２４】
さらに、制御プログラム９Ａには、マイク８により入力されるユーザの音声の認識処理を実行し、認識結果に応じた処理をコントローラ１０に実行させるための機能が含まれる。
【００２５】
制御プログラム９Ａには、例えば、着信があった旨、メールを受信した旨、電池残量がわずかである旨、充電を開始または終了した旨、無線ＬＡＮのアクセスポイントを検知した旨、エリアを検知した旨をユーザに伝えるための機能が含まれていてもよい。ユーザに伝える方法は、ＬＥＤなどの発行部を点灯させる方法、音を出力させる方法、ユーザに伝える内容を記載した吹き出しなどの画像をディスプレイ２に表示する方法、ユーザに伝える内容に対応する音声を読み上げアプリケーション９Ｆにより出力させる方法などがある。
【００２６】
制御プログラム９Ａには、ユーザの音声入力を有効な状態であることを示す画面を表示する機能、認識処理の結果に応じて実行する処理の内容に対応する画像を表示する機能、及び認識処理の結果に応じて実行する処理の内容に対応する音声を出力させる機能が含まれていてもよい。
【００２７】
制御プログラム９Ａは、ストレージ９に記憶される他のプログラムが提供する機能と組み合わせて利用されることがある。
【００２８】
通話アプリケーション９Ｂは、無線通信による通話のための通話機能を提供する。メールアプリケーション９Ｃは、電子メールの作成、送信、受信、及び表示等のための電子メール機能を提供する。スケジュールアプリケーション９Ｄは、スケジュールの登録、管理等のための機能を提供する。天気アプリケーション９Ｅは、天気に関する情報などをユーザに提供するための機能を提供する。音声読み上げアプリケーション９Ｆは、音声を読み上げる機能を提供する。音声読み上げアプリケーション９Ｆは、例えば、読み上げ対象となる情報に対応する音声データを生成し、生成した音声をスピーカ１１から出力する。
【００２９】
メールアプリケーション９Ｃは、スケジュールアプリケーション９Ｄ、及び天気アプリケーション９Ｅは、それぞれの機能を実現するために、対応するサーバとの間で同期し、最新の情報を含む各種情報をやり取りする機能を有する。スマートフォン１は、メールアプリケーション９Ｃは、スケジュールアプリケーション９Ｄ、及び天気アプリケーション９Ｅの変わりに、メールデータ、スケジュールデータ、天気データをストレージ９に記憶してもよい。この場合、制御プログラム９Ａは、メールデータ、スケジュールデータ、天気データを管理するサーバとの間で同期して、最新のデータを取得し、ストレージ９に格納する機能を提供する。
【００３０】
設定データ９Ｚは、スマートフォン１の動作に関連する各種の設定及び処理に関する情報を含む。設定データ９Ｚには、例えば、ユーザに対する通知が行われるイベントの発生を検知した際に、マイク８によるユーザの音声入力を有効の状態から無効な状態へ切替えるタイムアウト時間の設定が含まれる。設定データ９Ｚには、例えば、音声読み上げアプリケーション９Ｆによる読み上げ音声に関する設定が含まれる。例えば、着信があった旨、メールを受信した旨、電池残量がわずかである旨、充電を開始または終了した旨、無線ＬＡＮのアクセスポイントを検知した旨、エリアを検知した旨を読み上げ音声として出力するかどうかの設定などが含まれる。設定データ９Ｚには、アラーム音、ポップアップ表示音、着信音、メール受信音などに対応する音声ファイルが含まれていてよい。設定データ９Ｚには、電番番号、氏名、メールアドレスなどを含む電話帳のデータが含まれていてよい。
【００３１】
図１は、ストレージ９に記憶されるアプリケーションの一例を示すものに過ぎない。例えば、ブラウザアプリケーション、ナビゲートアプリケーション、音楽プレイヤーアプリケーション、動画再生アプリケーション、計算機アプリケーションなどがストレージ９にさらに記憶されていてもよい。
【００３２】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、スマートフォン１の動作を統括的に制御して各種の機能を実現する。
【００３３】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２、通信ユニット６、マイク８、及びスピーカ１１を含むが、これらに限定されない。コントローラ１０は、検出部の検出結果に応じて、制御を変更することがある。検出部は、例えば、ボタン３、照度センサ４、近接センサ５、レシーバ７、カメラ１２、姿勢検出ユニット１５、及びタッチスクリーン２１を含むが、これらに限定されない。
【００３４】
コントローラ１０は、例えば、制御プログラム９Ａを実行することにより、ユーザに対する通知が行われるイベントの発生を検知した際に、音入力部であるマイク８によるユーザの音声入力を有効な状態に制御する処理を実現する。さらに、コントローラ１０は、制御プログラム９Ａを実行することにより、マイク８により入力されるユーザの音声の認識処理を実行し、認識処理の結果に応じた処理を実行する。コントローラ１０は、例えば、電話の不在着信があると、マイク８によるユーザの音声入力を有効な状態にする。続いて、コントローラ１０は、マイク８により入力された音声の認識処理を実行する。例えば、音声の認識処理の結果、不在着信の発信者の問合せであると認識した場合、コントローラ１０は、不在着信に対応する発信者の氏名の情報を取得する。そして、コントローラ１０は、音声読み上げアプリケーション９Ｆを実行することにより、不在着信に対応する発信者の氏名に対応する読み上げ音声を、スピーカ１１から出力させる。
【００３５】
スピーカ１１は、音出力部である。スピーカ１１は、コントローラ１０から送信される音信号を音として出力する。スピーカ１１は、例えば、アラーム音、ポップアップ表示音、着信音、メール受信音、及び音楽を出力するために用いられる。レシーバ７及びスピーカ１１の一方が、他方の機能を兼ねてもよい。
【００３６】
カメラ１２は、撮影した画像を電気信号へ変換する。カメラ１２には、例えば、ディスプレイ２に面している物体を撮影するインカメラ、ディスプレイ２の反対側の面に面している物体を撮影するアウトカメラが含まれる。
【００３７】
姿勢検出ユニット１５は、スマートフォン１の姿勢を検出する。姿勢検出ユニット１５は、姿勢を検出するために、加速度センサ、方位センサ、及びジャイロスコープの少なくとも１つを備える。
【００３８】
バイブレータ１８は、スマートフォン１の一部又は全体を振動させる。バイブレータ１８は、振動を発生させるために、例えば、圧電素子、又は偏心モータなどを有する。バイブレータ１８による振動は、着信等の各種のイベントを利用者に報知するために用いられる。
【００３９】
タッチスクリーン２１は、タッチスクリーン２１に対する接触を検出する。コントローラ１０（スマートフォン１）は、タッチスクリーン２１によって検出される接触に基づいて、指、スタイラス、ペン等（以下、単に「指」という）を用いてタッチスクリーン２１に対して行われる各種操作（ジェスチャ）を検出する。例えば、タッチスクリーン２１は、タッチセンサを有する。タッチセンサは、タッチスクリーン２１への指の接触を、接触された場所のタッチスクリーン２１上での位置とともに検出し、コントローラ１０に通知する。コントローラ１０が、タッチスクリーン２１を介して検出する各種操作（ジェスチャ）には、例えば、タッチ、ロングタッチ、リリース、スワイプ、タップ、ダブルタップ、ロングタップ、ドラッグ、フリック、ピンチイン、及びピンチアウトが含まれるがこれらに限定されない。タッチスクリーン２１の検出方式は、静電容量方式、抵抗膜方式、表面弾性波方式（又は超音波方式）、赤外線方式、電磁誘導方式、及び荷重検出方式等の任意の方式でよい。図１に示すように、ディスプレイ２と、タッチスクリーン２１とは機能的には分離したものであるが、物理的にはタッチスクリーンディスプレイとして統合されていてよい。
【００４０】
図１に示したスマートフォン１の機能構成は例であり、本発明の要旨を損なわない範囲において適宜変更してよい。例えば、ストレージ９に音声読み上げアプリケーション９Ｆが記憶されていなくてもよい。
【００４１】
図２〜図４を用いて、実施形態１において、スマートフォン１により実行される制御について説明する。
【００４２】
図２は、電話の不在着信があった際にスマートフォン１により実行される制御の一例を示す図である。図２に示すように、スマートフォン１は、着信があると、着信をユーザに知らせる画面４０ａをディスプレイ２に表示する（ステップＳ１１）。そして、着信に応答せず、不在着信となった場合（ステップＳ１１）、マイク８によるユーザの音声入力を有効な状態にする（ステップＳ１２）。ユーザの音声入力を有効な状態にする際、スマートフォン１は、音声入力が有効な状態であることを示す画面５０ａをディスプレイ２に表示してもよい。スマートフォン１は、画面５０ａに、着信があった旨を示す吹き出しの画像ＭＯ１−１を表示してもよい。スマートフォン１は、着信があった旨を示す吹き出しの画像ＭＯ１−１を表示する際に、着信があった旨の読み上げ音声を生成してスピーカ１１から出力してもよい。
【００４３】
続いて、スマートフォン１は、マイク８によりユーザの音声が入力されると（ステップＳ１３）、入力される音声の認識処理を実行し、認識処理の結果に応じた処理を実行する（ステップＳ１４〜ステップＳ１７）。
【００４４】
例えば、スマートフォン１は、入力される音声の認識処理の結果、音声の内容が不在着信の発信者の問合せであると認識した場合には（ステップＳ１３）、不在着信に対応する発信者の氏名の情報を取得する。スマートフォン１は、ステップＳ１３〜ステップＳ１６に示すように、入力された音声の内容（例えば、「誰から？」）に対応する吹き出しの画像ＵＩ１−１を画面５０ａに表示してもよい。
【００４５】
続いて、スマートフォン１は、不在着信に対応する発信者の氏名に対応する読み上げ音声を生成してスピーカ１１から出力する（ステップＳ１４）。スマートフォン１は、ステップＳ１４〜ステップＳ１６に示すように、生成した読み上げ音声（例えば、「特許太朗さんです。」）に対応する吹き出しの画像ＭＯ１−２を画面５０ａに表示してもよい。
【００４６】
音声入力を有効な状態にした後、スマートフォン１は、例えば、音声の入力がない状態が一定時間継続している場合、音声入力を有効な状態から無効な状態へ切替えて、音声入力をタイムアウトさせる。一方、音声の入力がない状態が一定時間継続していない場合、スマートフォン１は、音声入力をタイムアウトさせることなく、入力される音声の認識処理を継続する。
【００４７】
スマートフォン１は、ステップＳ１３に続いて入力される音声の認識処理の結果、音声の内容が不在着信に対応する電話番号への折り返し発信の指示であると認識した場合には（ステップＳ１５）、折り返し発信を行う旨の読み上げ音声を生成してスピーカ１１から出力する（ステップＳ１６）。続いて、スマートフォン１は、不在着信に対応する電話番号への発信処理を実行する（ステップＳ１７）。スマートフォン１は、ステップＳ１５及びステップＳ１６に示すように、例えば、入力された音声の内容（例えば、「かけ直して。」）に対応する吹き出しの画像ＵＩ１−２を画面５０ａに表示してもよい。スマートフォン１は、ステップＳ１６に示すように、例えば、折り返し発信を行う旨の読み上げ音声（例えば、「特許太朗さんにかけ直します。」）に対応する吹き出しの画像ＭＯ１−３を画面５０ａに表示してもよい。
【００４８】
図２に示す制御の例において、スマートフォン１は、照度センサ４または近接センサ５を介して、スマートフォン１がユーザのポケットなどに挿入されている状態であるものと判定する場合、吹き出しを表示しないようにしてもよい。つまり、吹き出しを表示しても、ユーザが確認できる状態にないことを考慮する趣旨である。
【００４９】
図２に示す制御の例において、スマートフォン１は、照度センサ４または近接センサ５を介して、スマートフォン１がユーザのポケットなどに挿入されている状態であるものと判定する場合、音声入力を有効な状態にしないようにしてもよい。つまり、音声入力を有効な状態にしても、マイク８によりユーザの音声を精度よく入力できる状態にないことを考慮する趣旨である。
【００５０】
図２に示す制御の例において、スマートフォン１は、照度センサ４または近接センサ５を介して、スマートフォン１がユーザのポケットなどに挿入されている状態であるものと判定する場合であっても、音声入力が可能なヘッドセットの接続を検出している場合、音声入力を有効な状態にしてもよい。つまり、マイク８によりユーザの音声を精度よく入力できなくても、ヘッドセットからユーザからの音声を入力できる状態にあることを考慮する趣旨である。
【００５１】
図２に示す制御の例において、スマートフォン１は、入力される音声の内容が、ユーザから問合せ又は指示である場合に、その都度、ユーザからの問合せ又は指示に応じた応答を読み上げ音声として出力してもよい。スマートフォン１は、入力される音声の内容が、ユーザからの問合せ又は指示である場合であっても、その都度、応答を読み上げ音声として出力せずに、入力される音声の内容に応じて応答を出力するか否かを決定してもよい。例えば、図２のステップＳ１６に示すように、スマートフォン１は、ユーザからの折り返し発信の指示に対して、「特許太朗さんにかけ直します。」という読み上げ音声を出力してから、不在着信に対応する電話番号への発信処理を実行してもよい。一方、スマートフォン１は、ユーザからの折り返し発信の指示を認識できたら、折り返し発信の指示に応答する読み上げ音声を出力することなく、そのまま不在着信に対応する電話番号への発信処理を実行してもよい。スマートフォン１は、少なくとも、ユーザとのやり取りを円滑に進めることができる限り、ユーザとの音声のやり取りを任意に実行してよい。
【００５２】
図３は、メールの受信があった際にスマートフォン１により実行される制御の一例を示す図である。図３に示すように、スマートフォン１は、メールを受信すると、メールの受信をユーザに知らせる画面４０ｂをディスプレイに表示させる（ステップＳ２１）。スマートフォン１は、メールを受信すると、マイク８によるユーザの音声入力を有効な状態にする（ステップＳ２２）。ユーザの音声入力を有効な状態にする際、スマートフォン１は、音声入力が有効な状態であることを示す画面５０ａをディスプレイ２に表示してもよい。スマートフォン１は、画面５０ａに、メールの受信があった旨を示す吹き出しの画像ＭＯ２−１を表示してもよい。スマートフォン１は、着信があった旨を示す吹き出しの画像ＭＯ２−１を表示する際に、メールを受信した旨の読み上げ音声を生成してスピーカ１１から出力してもよい。
【００５３】
続いて、スマートフォン１は、マイク８によりユーザの音声が入力されると（ステップＳ２３）、入力された音声の認識処理を実行し、認識処理の結果に応じた処理を実行する（ステップＳ２４〜ステップＳ２６）。
【００５４】
例えば、スマートフォン１は、入力される音声の認識処理の結果、受信メールの差出人（送信者）の問合せであると認識した場合には（ステップＳ２３）、受信メールの差出人の氏名の情報を取得する。スマートフォン１は、ステップＳ２３〜ステップＳ２６に示すように、入力された音声の内容（例えば、「誰から？」）という吹き出しの画像ＵＩ２−１を画面５０ａに表示してもよい。
【００５５】
続いて、スマートフォン１は、受信メールの差出人の氏名に対応する読み上げ音声を生成してスピーカ１１から出力する（ステップＳ２４）。スマートフォン１は、ステップＳ２４〜ステップＳ２６に示すように、生成した読み上げ音声（例えば、「特許太朗さんです。」）に対応する吹き出しの画像ＭＯ２−２を画面５０ａに表示してもよい。
【００５６】
音声入力を有効な状態にした後、スマートフォン１は、例えば、音声の入力がない状態が一定時間継続している場合、音声入力を有効な状態から無効な状態へ切替えて、音声入力をタイムアウトさせる。一方、音声の入力がない状態が一定時間継続していない場合、スマートフォン１は、音声入力をタイムアウトさせることなく、入力される音声の認識処理を継続する。
【００５７】
スマートフォン１は、ステップＳ２３に続いて入力される音声の認識処理の結果、音声の内容が受信メールのタイトル（件名）の問合せであると認識した場合には（ステップＳ２５）、受信メールのタイトルに対応する読み上げ音声を生成してスピーカ１１から出力する（ステップＳ２６）。スマートフォン１は、ステップＳ２５及びステップＳ２６に示すように、入力された音声の内容（例えば、「タイトルを読み上げて。」）という吹き出しの画像ＵＩ２−２を画面５０ａに表示してもよい。スマートフォン１は、ステップＳ２６に示すように、受信メールのタイトルに対応する読み上げ音声（例えば、「タイトルは花火大会の開催日時の連絡です。」）に対応する吹き出しの画像ＭＯ２−３を画面５０ａに表示してもよい。
【００５８】
図４は、アラームの鳴動があった際にスマートフォン１により実行される制御の一例を示す図である。図４に示すように、スマートフォン１は、アラームの鳴動時刻への到達を検出すると、アラームを鳴動させ、アラームが鳴動中であることをユーザに知らせる画面４０ｃをディスプレイ２に表示する（ステップＳ３１）。スマートフォン１は、アラームの鳴動があった場合、マイク８によるユーザの音声入力を有効な状態にする（ステップＳ３２）。ユーザの音声入力を有効な状態にする際、スマートフォン１は、音声入力が有効な状態であることを示す画面５０ａをディスプレイ２に表示してもよい。スマートフォン１は、画面５０ａに、アラームの鳴動があった旨を示す吹き出しの画像ＭＯ３−１を表示してもよい。
【００５９】
続いて、スマートフォン１は、マイク８によりユーザの音声が入力されると（ステップＳ３２）、入力された音声の認識処理を実行し、認識処理の結果に応じた処理を実行する（ステップＳ３３〜ステップＳ３６）。
【００６０】
例えば、スマートフォン１は、入力される音声の認識処理の結果、音声の内容が今日のスケジュールの問合せであると認識した場合には（ステップＳ３２）、その問合せに応答する読み上げ音声を生成してスピーカ１１から出力する（ステップＳ３３）。スマートフォン１は、ステップＳ３２〜ステップＳ３６に示すように、入力された音声の内容（例えば、「今日の予定は？」）に対応する吹き出しの画像ＵＩ３−１を画面５０ａに表示してもよい。スマートフォン１は、ステップＳ３３〜ステップＳ３６に示すように、スケジュールの問合せに応答する読み上げ音声（例えば、「スケジュールを確認します。」）に対応する吹き出しの画像ＭＯ３−１を画面５０ａに表示してもよい。ユーザに応答した後、スマートフォン１は、今日のスケジュールに関する情報を取得する。
【００６１】
続いて、スマートフォン１は、今日のスケジュールに対応する読み上げ音声を生成してスピーカ１１から出力する（ステップＳ３４）。スマートフォン１は、ステップＳ３４〜ステップＳ３６に示すように、生成した読み上げ音声（例えば、「今日は１０時に新宿で打合せです。」）に対応する吹き出しの画像ＭＯ３−２を画面５０ａに表示してもよい。
【００６２】
音声入力を有効な状態にした後、スマートフォン１は、例えば、音声の入力がない状態が一定時間継続している場合、音声入力を有効な状態から無効な状態へ切替えて、音声入力をタイムアウトさせる。一方、音声の入力がない状態が一定時間継続していない場合、スマートフォン１は、音声入力をタイムアウトさせることなく、入力される音声の認識処理を継続する。
【００６３】
スマートフォン１は、ステップＳ３２に続いて入力される音声の認識処理の結果、音声の内容が今日の天気の問合せであると認識した場合には（ステップＳ３５）、今日の天気に関する情報を取得する。続いて、スマートフォン１は、取得した今日の天気に関する情報に対応する読み上げ音声を生成してスピーカ１１から出力する（ステップＳ３６）。スマートフォン１は、ステップＳ３５及びステップＳ３６に示すように、入力された音声の内容（例えば、「今日の天気は？」）に対応する吹き出しの画像ＵＩ３−２を画面５０ａに表示してもよい。スマートフォン１は、ステップＳ３６に示すように、生成した読み上げ音声（例えば、「東京の今日の天気は晴れ、降水確率は１０％です。」）に対応する吹き出しの画像ＭＯ３−３を画面５０ａに表示してもよい。
【００６４】
図５は、実施形態１に係る制御プログラム９Ａが提供する機能に基づく制御を実現するための処理手順の一例を示す図である。図５に示す処理手順は、コントローラ１０が、制御プログラム９Ａを実行することにより実現される。図５に示す処理手順は、スマートフォン１の起動中、繰り返し実行される。
【００６５】
図５に示すように、コントローラ１０は、例えば、ステップＳ１０１として、ユーザに対する通知が行われるイベントが発生したかどうかを判定する。イベントには、例えば、電話の不在着信、メールの受信、アラームの鳴動などが含まれる。判定の結果、ユーザに対する通知が行われるイベントが発生していない場合には（ステップＳ１０１、Ｎｏ）、コントローラ１０は、図５に示す処理手順を終了する。
【００６６】
判定の結果、ユーザに対する通知が行われるイベントが発生した場合には（ステップＳ１０１、Ｙｅｓ）、コントローラ１０は、マイク８による音声入力を無効な状態から有効な状態へ切替える（ステップＳ１０２）。続いて、コントローラ１０は、マイク８により入力される音声の認識処理を実行し、認識結果に応じた処理を実行する（ステップＳ１０３）。例えば、コントローラ１０は、音声認識の結果、入力される音声の内容が不在着信の発信者の問合せである場合、不在着信の発信者の名前に対応する読み上げ音声を出力する。例えば、コントローラ１０は、音声認識の結果、入力される音声の内容が不在着信に対応する電話番号への折り返し発信の指示である場合、不在着信に対応する電話番号へ発信する。例えば、コントローラ１０は、音声認識の結果、入力される音声の内容が受信メールの差出人の問合せである場合、受信メールの差出人の名前に対応する読み上げ音声を出力する。例えば、コントローラ１０は、音声認識の結果、入力される音声の内容が受信メールのタイトル（件名）の問合せである場合、受信メールのタイトルに対応する読み上げ音声を出力する。例えば、コントローラ１０は、音声認識の結果、入力される音声の内容が今日のスケジュールの問合せである場合には、スケジュールの問合せに応答する読み上げ音声を出力する。例えば、コントローラ１０は、音声認識の結果、入力される音声の内容が今日の天気の問合せである場合、天気に関する情報に対応する読み上げ音声を出力する。
【００６７】
続いて、コントローラ１０は、音声入力のない状態が一定時間継続しているかどうかを判定する（ステップＳ１０４）。判定の結果、音声入力のない状態が一定時間継続していない場合には（ステップＳ１０４、Ｎｏ）、コントローラ１０は、ステップＳ１０３の処理手順に戻り、入力される音声の認識処理を継続する。
【００６８】
一方、判定の結果、音声入力のない状態が一定時間継続している場合には（ステップＳ１０４、Ｙｅｓ）、コントローラ１０は、音声入力を有効な状態から無効な状態に切替えて（ステップＳ１０５）、図５に示す処理手順を終了する。
【００６９】
上述してきたように、実施形態１では、スマートフォン１は、ユーザに対する通知が行われるイベントの発生を検知した際に、マイク８によるユーザの音声入力を有効な状態に制御する。このため、実施形態１では、ユーザは、イベントに対する問合せ、イベントに応じた操作入力を音声入力により実行することができ、各種イベントに応じた操作を実行する際のユーザの利便性を向上させることができる。
【００７０】
実施形態１では、上記イベントとして、例えば、電話の不在着信、メールの受信、アラームの鳴動を例に挙げたが、これら以外にも、電池残量の所定値への到達、充電の開始または終了、無線ＬＡＮのアクセスポイントの検知、エリア検知などが含まれてよい。上記イベントは、音声入力を有効にするための契機であり、任意に設定できる。スマートフォン１は、電池残量が所定値に到達した際に、音声入力を有効な状態に制御する。スマートフォン１は、充電の開始された際に、音声入力を有効な状態に制御する。スマートフォン１は、充電が終了した際に、音声入力を有効な状態に制御する。スマートフォン１は、無線ＬＡＮのアクセスポイントを検知した際に、音声入力を有効な状態に制御する。スマートフォン１は、ＧＰＳ衛星からの電波信号に基づいて、特定のエリア検知した際に、音声入力を有効な状態に制御する。
【００７１】
実施形態１において、スマートフォン１は、入力音声の認識処理を実行することで、不在着信および受信メールの件数をユーザに通知する処理、留守番電話サービスへの発信処理、会議への出席承認処理、マナーモードの設定処理及び解除処理などを実行してもよい。すなわち、スマートフォン１は、ユーザが手動操作で実行することができる処理の全てを、音声入力により実現してよい。
【００７２】
実施形態１では、スマートフォン１は、音声の入力がない状態が一定時間継続した場合には、音声入力を有効な状態から無効な状態に切替えて、音声入力をタイムアウトさせる。このため、実施形態１によれば、特定のイベントが発生していない時に、音声入力による誤操作が発生することを防止できる。
【００７３】
実施形態１では、スマートフォン１は、マイク８により入力されるユーザの音声の認識処理を実行し、認識結果に応じた処理を実行する。このため、実施形態１によれば、各種イベントに応じた処理を実行する際の操作入力をユーザに手動で行わせる必要がなく、ユーザの利便性を向上させることができる。
【００７４】
実施形態１では、スマートフォン１は、音声の認識結果に応じて実行する処理の内容を、読み上げ音声または吹き出しの画像によりユーザに通知する。このため、実施形態１によれば、音声により入力がスマートフォン１に正しく受入れられているかどうかをユーザに知らせることができる。
【００７５】
（実施形態２）
実施形態１において、スマートフォン１は、セキュリティロック状態にあるときに、上記イベントが発生した場合には、音声入力を有効な状態にしないように制御してもよい。図６は、実施形態２に係る制御プログラム９Ａが提供する機能に基づく制御を実現するための処理手順の一例を示す図である。図６に示す処理手順は、コントローラ１０が、制御プログラム９Ａを実行することにより実現される。図６に示す処理手順は、スマートフォン１の起動中、繰り返し実行される。図６に示す処理手順は、ステップＳ２０２の処理手順が、図５に示す処理手順と異なる。
【００７６】
制御プログラム９Ａには、セキュリティロック状態にあるときに、上記イベントが発生した場合には、音声入力を有効な状態にしないようにコントローラ１０に制御させるための機能が含まれる。
【００７７】
コントローラ１０は、制御プログラム９Ａを実行することにより、セキュリティロック状態にあるときに、上記イベントが発生した場合には、音声入力を有効な状態にしないように制御する処理を実現する。
【００７８】
図６に示すように、コントローラ１０は、例えば、ステップＳ２０１として、ユーザに対する通知が行われるイベントが発生したかどうかを判定する。イベントには、例えば、電話の不在着信、メールの受信、アラームの鳴動などが含まれる。判定の結果、上記イベントが発生していない場合には（ステップＳ２０１、Ｎｏ）、コントローラ１０は、図６に示す処理手順を終了する。
【００７９】
判定の結果、ユーザに対する通知が行われるイベントが発生した場合には（ステップＳ２０１、Ｙｅｓ）、コントローラ１０は、セキュリティロック状態であるかどうかを判定する（ステップＳ２０２）。セキュリティロック状態は、スマートフォン１に対する操作が無効な状態である。ユーザは、所定のパスワードなど入力することにより、セキュリティロック状態を解除できる。
【００８０】
判定の結果、セキュリティロック状態である場合には（ステップＳ２０２、Ｙｅｓ）、コントローラ１０は、図６に示す処理手順を終了する。つまり、セキュリティロック状態である場合には、ユーザがスマートフォン１を利用しない状況にあることが想定されるので、音声入力を有効にする必要性が低いことを考慮するものである。
【００８１】
一方、判定の結果、セキュリティロック状態ではない場合には（ステップＳ２０２、Ｎｏ）、コントローラ１０は、マイク８による音声入力を無効な状態から有効な状態へ切替える（ステップＳ２０３）。続いて、コントローラ１０は、マイク８により入力される音声の認識処理を実行し、認識結果に応じた処理を実行する（ステップＳ２０４）。例えば、コントローラ１０は、音声認識の結果、入力される音声の内容が不在着信の発信者の問合せである場合、不在着信の発信者の名前に対応する読み上げ音声を出力する。例えば、コントローラ１０は、音声認識の結果、入力される音声の内容が不在着信に対応する電話番号への折り返し発信の指示である場合、不在着信に対応する電話番号へ発信する。例えば、コントローラ１０は、音声認識の結果、入力される音声の内容が受信メールの差出人の問合せである場合、受信メールの差出人の名前に対応する読み上げ音声を出力する。例えば、コントローラ１０は、音声認識の結果、入力される音声の内容が受信メールのタイトル（件名）の問合せである場合、受信メールのタイトルに対応する読み上げ音声を出力する。例えば、コントローラ１０は、音声認識の結果、入力される音声の内容が今日のスケジュールの問合せである場合には、スケジュールの問合せに応答する読み上げ音声を出力する。例えば、コントローラ１０は、音声認識の結果、入力される音声の内容が今日の天気の問合せである場合、天気に関する情報に対応する読み上げ音声を出力する。
【００８２】
続いて、コントローラ１０は、音声入力のない状態が一定時間継続しているかどうかを判定する（ステップＳ２０５）。判定の結果、音声入力のない状態が一定時間継続していない場合には（ステップＳ２０５、Ｎｏ）、コントローラ１０は、ステップＳ２０４の処理手順に戻り、入力される音声の認識処理を継続する。
【００８３】
一方、判定の結果、音声入力のない状態が一定時間継続している場合には（ステップＳ２０５、Ｙｅｓ）、コントローラ１０は、音声入力を有効な状態から無効な状態に切替えて（ステップＳ２０６）、図６に示す処理手順を終了する。
【００８４】
（その他の実施形態）
例えば、あるイベントの発生に応じて音声入力を有効な状態にした後に、別のイベントが発生した場合、あるいは複数のイベントがほぼ同時に発生した場合には、それぞれのイベントに対応する処理を実行してもよい。
【００８５】
図７は、メールの受信直後に不在着信があった際にスマートフォン１により実行される制御の一例を示す図である。
【００８６】
図７に示すように、スマートフォン１は、例えば、メールの受信直後の着信が不在着信となった場合（ステップＳ４１）、不在着信の前のメールの受信によって、マイク８によるユーザの音声入力を有効な状態にする（ステップＳ４２）。ユーザの音声入力を有効な状態にする際、スマートフォン１は、音声入力が有効な状態であることを示す画面５０ａをディスプレイ２に表示してもよい。スマートフォン１は、画面５０ａに、着信があった旨を示す吹き出しの画像ＭＯ４−１、及びメールの受信があった旨を示す吹き出しの画像ＭＯ４−２を表示してもよい。スマートフォン１は、着信があった旨を示す吹き出しの画像ＭＯ４−１、及びメールの受信があった旨を示す吹き出しの画像ＭＯ４−２を表示する際に、それぞれの吹き出しに対応する読み上げ音声を生成してスピーカ１１から出力してもよい。
【００８７】
続いて、スマートフォン１は、マイク８によりユーザの音声が入力されると（ステップＳ４３）、入力された音声の認識処理を実行し、認識処理の結果に応じた処理を実行する（ステップＳ４４〜ステップＳ４８）。
【００８８】
例えば、スマートフォン１は、入力される音声の認識処理の結果、音声の内容が不在着信の発信者の問合せであると認識した場合には（ステップＳ４３）、不在着信に対応する発信者の氏名の情報を取得する。スマートフォン１は、ステップＳ４３〜ステップＳ４６に示すように、入力された音声の内容（例えば、「着信は誰から？」）に対応する吹き出しの画像ＵＩ４−１を画面５０ａに表示してもよい。
【００８９】
続いて、スマートフォン１は、不在着信に対応する発信者の氏名に対応する読み上げ音声を生成してスピーカ１１から出力する（ステップＳ４４）。スマートフォン１は、ステップＳ４４〜ステップＳ４６に示すように、生成した読み上げ音声（例えば、「着信は特許太朗さんからです。」）に対応する吹き出しの画像ＭＯ４−３を画面５０ａに表示してもよい。
【００９０】
音声入力を有効な状態にした後、スマートフォン１は、例えば、音声の入力がない状態が一定時間継続している場合、音声入力を有効な状態から無効な状態へ切替えて、音声入力をタイムアウトさせる。一方、音声の入力がない状態が一定時間継続していない場合、スマートフォン１は、音声入力をタイムアウトさせることなく、入力される音声の認識処理を継続する。
【００９１】
スマートフォン１は、ステップＳ４３に続いて入力される音声の認識処理の結果、受信メールの差出人（送信者）の問合せであると認識した場合には（ステップＳ４５）、受信メールの差出人の氏名の情報を取得する。スマートフォン１は、ステップＳ４５及びステップＳ４６に示すように、入力された音声の内容（例えば、「メールは誰から？」）という吹き出しの画像ＵＩ４−２を画面５０ａに表示してもよい。
【００９２】
続いて、スマートフォン１は、受信メールの差出人の氏名に対応する読み上げ音声を生成してスピーカ１１から出力する（ステップＳ４６）。スマートフォン１は、ステップＳ４６に示すように、生成した読み上げ音声（例えば、「メールは特許花子さんからです。」）に対応する吹き出しの画像ＭＯ４−４を画面５０ａに表示してもよい。
【００９３】
スマートフォン１は、ステップＳ４５に続いて入力される音声の認識処理の結果、音声の内容が不在着信に対応する電話番号への折り返し発信の指示であると認識した場合には（ステップＳ４７）、折り返し発信を行う旨の読み上げ音声を生成してスピーカ１１から出力する（ステップＳ４８）。続いて、スマートフォン１は、不在着信に対応する電話番号への発信処理を実行する（ステップＳ４９）。スマートフォン１は、ステップＳ４７及びステップＳ４８に示すように、例えば、入力された音声の内容（例えば、「かけ直して。」）に対応する吹き出しの画像ＵＩ４−３を画面５０ａに表示してもよい。このとき、スマートフォン１は、画面５０ａに、吹き出しの画像ＵＩ４−３を表示するスペースがない場合には、例えば、ステップＳ４７に示すように、現在表示中の吹き出しの画像を消去して、画像ＵＩ４−３を表示してもよい。スマートフォン１は、ステップＳ４８に示すように、例えば、折り返し発信を行う旨の読み上げ音声（例えば、「特許太朗さんにかけ直します。」）に対応する吹き出しの画像ＭＯ４−４を画面５０ａに表示してもよい。
【００９４】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【００９５】
例えば、図１に示した各プログラムは、複数のモジュールに分割されていてもよい。あるいは、図１に示した各プログラムは、他のプログラムと結合されていてもよい。
【００９６】
上記の実施形態では、本出願に係る電子機器の一例として、スマートフォンについて説明したが、添付の請求項に係る装置は、スマートフォンに限定されない。添付の請求項に係る装置は、スマートフォン以外の電子機器であってもよい。電子機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る装置は、据え置き型の電子機器であってもよい。据え置き型の電子機器は、例えば、デスクトップパソコン、及びテレビ受像器である。
【符号の説明】
【００９７】
１  スマートフォン
２  ディスプレイ
３  ボタン
４  照度センサ
５  近接センサ
６  通信ユニット
７  レシーバ
８  マイク
９  ストレージ
９Ａ  制御プログラム
９Ｂ  通話アプリケーション
９Ｃ  メールアプリケーション
９Ｄ  スケジュールアプリケーション
９Ｅ  天気アプリケーション
９Ｆ  音声読み上げアプリケーション
９Ｚ  設定データ
１０  コントローラ
１１  スピーカ
１２  カメラ
１５  姿勢検出ユニット
１８  バイブレータ
２１  タッチスクリーン
【図１】
2014045449.tif 000003
【図２】
2014045449.tif 000004
【図３】
2014045449.tif 000005
【図４】
2014045449.tif 000006
【図５】
2014045449.tif 000007
【図６】
2014045449.tif 000008
【図７】
2014045449.tif 000009